(57)【特許請求の範囲】
【請求項１】
無線通信モジュールを備える電子機器であって、
前記無線通信モジュールが固定される基体と、
前記基体の両側端に一体に形成されている回動軸と、
前記無線モジュールが前記基体に固定された状態における全体の重心を前記回動軸に対して偏心させる錘と、を備える無線通信モジュール支持装置と、
前記電子機器の本体を回動可能に支持する把持部と、
を備え、
前記無線通信モジュールが前記無線通信モジュール支持装置により前記把持部の内部に支持されていることを特徴とする電子機器。
【請求項２】
無線通信モジュールを備える電子機器であって、
前記無線通信モジュールが固定される基体と、
前記基体の両側端に一体に形成されている回動軸と、
前記無線モジュールが前記基体に固定された状態における全体の重心を前記回動軸に対して偏心させる錘と、を備える無線通信モジュール支持装置と、
前記電子機器本体に回動可能に支持される開閉蓋と、
を備え、
前記無線通信モジュールが前記無線通信モジュール支持装置により前記開閉蓋の内部に支持されていることを特徴とする電子機器。
【請求項３】
無線通信モジュールを備える電子機器であって、
前記無線通信モジュールが固定される基体と、
前記基体の両側端に一体に形成されている回動軸と、
前記無線モジュールが前記基体に固定された状態における全体の重心を前記回動軸に対して偏心させる錘と、を備える無線通信モジュール支持装置と、
前記電子機器の本体前面に記録実行後の記録紙が排出される排出口を開閉可能に配設される排出用トレイと、
を備え、
前記無線通信モジュールが前記無線通信モジュール支持装置により前記排出用トレイの内部に形成されていることを特徴とする電子機器。
【発明の詳細な説明】
【技術分野】
【０００１】
本発明は、無線通信モジュールを無線通信モジュール支持装置により支持する電子機器に関する。
【背景技術】
【０００２】
ブルートゥース等の無線通信技術を利用した無線通信機能を実現する無線通信モジュール（以下、単に「無線通信モジュール」という。）が公知である（例えば、特許文献１を参照）。また、無線通信モジュールを備えた電子機器の一例としては、無線通信モジュールを備えた携帯電話機やプリンタが公知である（例えば、特許文献２、３を参照）。このような電子機器においては、ケーブル接続をすることなく、他の電子機器との間でデータ送受信を行うことができる。例えば、無線通信モジュールを備えた携帯電話機等から送信した画像データを、無線通信モジュールを備えたプリンタで受信して、プリンタがその受信した画像データを用紙にプリントする、といったことが実現できる。
【特許文献１】特開２００２−３５３８４１号公報
【特許文献２】特開２００６−２７９６４５号公報
【特許文献３】特開２００５−１１１９４２号公報
【発明の開示】
【発明が解決しようとする課題】
【０００３】
無線通信モジュールは、送信電波に対する向きによって受信感度が異なる場合がある。つまり、無線通信モジュールを一定の向きで固定した場合において、例えば、前後方向の受信感度は良好であるが、上下方向や左右方向の受信感度は相対的に低い、といったことがある。そのため、例えば、無線通信モジュールを内蔵した電子機器を立てた状態で使用しているときは良好な受信感度が得られるが、寝かせた状態或いは傾けた状態で使用しているときは良好な受信感度が得られない、といった問題が生ずる虞があった。
【０００４】
本発明は、このような状況に鑑み成されたものであり、その課題は、無線通信モジュールを実装した電子機器の姿勢にかかわりなく、良好な受信感度が得られる無線通信モジュール支持装置を実現することにある。
【課題を解決するための手段】
【０００５】
上記課題を達成するため、本発明の第１の態様は、回動軸に対して重心が偏心した状態で無線通信モジュールを回動自在に支持する、ことを特徴とした無線通信モジュール支持装置である。
【０００６】
このように、回動軸に対して重心が偏心した状態で無線通信モジュールを回動自在に支持することによって、無線通信モジュールは、常に重力方向に対して一定の姿勢を維持することになる。したがって、無線通信モジュールを本発明に係る無線通信モジュール支持装置で支持した状態で内蔵した電子機器は、電子機器を立てた状態で使用しているとき、寝かせた状態で使用しているとき、或いは傾けた状態で使用しているときのいずれの状態においても一定の送信電波方向に対して良好な受信感度が得られる無線通信モジュールの向きを維持することができる。
【０００７】
これにより、本発明の第１の態様に記載の無線通信モジュール支持装置によれば、無線通信モジュールを実装した電子機器の姿勢にかかわりなく、良好な受信感度が得られるという作用効果を得ることができる。
【０００８】
本発明の第２の態様は、前述した第１の態様に記載の無線通信モジュール支持装置において、無線通信モジュールを回動自在に支持する基体と、前記基体に配設される錘とを備えている、ことを特徴とした無線通信モジュール支持装置である。
【０００９】
このように、無線通信モジュールを回動自在に支持する基体と、基体に配設される錘を利用した振り子支持構造によって、無線通信モジュールの形状や重心位置等による制約を受けることなく、重力方向に対する姿勢が常に一定に維持されるように無線通信モジュールを回動自在に支持することができる。
【００１０】
本発明の第３の態様は、無線通信モジュールと、前述した第１の態様又は第２の態様に記載の無線通信モジュール支持装置とを備えた電子機器である。  
本発明の第３の態様に記載の電子機器によれば、無線通信モジュールを備えた電子機器において、前述した第１の態様又は第２の態様に記載の発明による作用効果を得ることができる。
【００１１】
本発明の第４の態様は、前述した第３の態様に記載の電子機器において、無線通信モジュールが前記無線通信モジュール支持装置により可動部の内部に支持されており、前記無線通信モジュールの重力方向に対する姿勢が前記可動部の可動範囲において一定に維持される、ことを特徴とした電子機器である。
【００１２】
無線通信モジュールを電子機器本体に内蔵した場合、その実装位置や向きによっては、当該電子機器を構成する筐体フレーム等の金属部材や当該電子機器内部に実装されるマイコン制御回路基板等が無線通信モジュールの受信に影響を及ぼす場合がある。そのため、電子機器本体の内部に無線通信モジュールを実装する場合には、電子機器本体を構成する筐体フレーム等の金属部材や電子機器本体の内部に実装される他の電子部品等との位置関係等も考慮しつつ、良好な受信特性が得られるように無線通信モジュールの実装位置や実装向きを検討する必要がある。
【００１３】
さらに、モバイル用途向けの小型電子機器において電子機器本体内に無線通信モジュールを実装する場合には、内部の実装スペースに余裕がなく、限られた位置の限られた狭いスペースに実装しなければならない場合が多い。そのため、無線通信モジュールを理想的な配置及び向きで実装することが困難な場合もあり、無線通信モジュールによる受信特性をある程度妥協せざるを得ない場合があり得る。
【００１４】
そこで、電子機器本体の内部に無線通信モジュールを実装するのではなく、動くことが可能な状態で電子機器本体に支持されている可動部（以下、単に「可動部」という。）の内部に無線通信モジュールを実装する。電子機器の可動部は、例えば、電子機器を持ち運びするための回動可能に電子機器本体に支持された把持部（ハンドル等）、電子機器を使用しないときに閉じた状態にして操作ボタン類等の操作部を保護する開閉蓋（開閉カバー等）等である。
【００１５】
このように、電子機器の本体ではなく可動部の内部に無線通信モジュールを実装する。それによって、当該電子機器本体を構成する筐体フレーム等の金属部材や当該電子機器本体の内部に実装されるマイコン制御回路基板等から離れた位置に無線通信モジュールを配置することができる。したがって、その筐体フレーム等の金属部材やマイコン制御回路基板等の影響による無線通信モジュールの受信特性の低下を容易に回避することができる。
【００１６】
また、電子機器の本体ではなく可動部の内部に無線通信モジュールを実装することによって、通常電子部品等が実装されない可動部内の空間を有効利用することができる。したがって、電子機器における無線通信モジュールの実装位置や向きの自由度を高めることもできる。
【００１７】
そして、無線通信モジュールは、回動軸に対して重心が偏心した状態で回動自在に支持される。それによって、無線通信モジュールの重力方向に対する姿勢が可動部の可動範囲において一定に維持されるようにすることができる。したがって、可動部の姿勢にかかわりなく、一定の送信電波方向に対して良好な受信感度が得られる無線通信モジュールの向きを維持することができる。
【００１８】
これにより、本発明の第４の態様に記載の電子機器によれば、前述した第３の態様に記載の発明による作用効果に加えて、当該電子機器本体を構成する筐体フレーム等の金属部材や当該電子機器本体の内部に実装されるマイコン制御回路基板等の影響で無線通信モジュールによる受信特性が低下することを容易に回避することができるとともに、電子機器における無線通信モジュールの実装位置や向きの自由度が高まり、さらに、その無線通信モジュールを実装した可動部の姿勢にかかわりなく、良好な受信感度が得られるという作用効果を得ることができる。
【００１９】
本発明の第５の態様は、前述した第４の態様に記載の電子機器において、前記可動部は、前記電子機器本体に回動可能に支持された把持部である、ことを特徴とした電子機器である。  
本発明の第５の態様に記載の電子機器によれば、電子機器本体に回動可能に支持された把持部を備えた電子機器において、前述した第４の態様に記載の発明による作用効果を得ることができる。
【００２０】
本発明の第６の態様は、前述した第４の態様に記載の電子機器において、前記可動部は、前記電子機器本体に回動可能に支持された開閉蓋である、ことを特徴とした電子機器である。  
本発明の第６の態様に記載の電子機器によれば、電子機器本体に回動可能に支持された開閉蓋を備えた電子機器において、前述した第４の態様に記載の発明による作用効果を得ることができる。
【００２１】
本発明の第７の態様は、前述した第４の態様に記載の電子機器において、被記録材への記録実行手段と、前記記録実行手段で記録実行後の被記録材が排出される排出用トレイとを備え、前記可動部は、前記電子機器本体に回動可能に支持された前記排出用トレイである、ことを特徴とした電子機器である。  
本発明の第７の態様に記載の電子機器によれば、被記録材への記録実行手段と、記録実行手段で記録実行後の被記録材が排出される排出用トレイとを備え、その排出用トレイが電子機器本体に回動可能に支持された電子機器において、前述した第４の態様に記載の発明による作用効果を得ることができる。
【発明を実施するための最良の形態】
【００２２】
以下、本発明の実施の形態を図面に基づいて説明する。
【００２３】
＜インクジェットプリンタの概略構成＞
まず、本発明に係る「電子機器」の一例であるインクジェットプリンタ５０の概略構成について、図１〜図３を参照しながら説明する。  
図１は、インクジェットプリンタ５０の外観斜視図である。図２は、インクジェットプリンタ５０の要部側断面図である。尚、図中の符号Ｚで示した方向は垂直方向（重力方向）である（以下、単に「垂直方向Ｚ」という。）。また、符号Ｘで示した方向及び符号Ｙで示した方向は水平方向であり、符号Ｘで示した方向と符号Ｙで示した方向とは直交する方向である（以下、単に「左右方向Ｘ」及び「前後方向Ｙ」という。）。以下、全ての図面において同様とする。
【００２４】
プリンタ本体１の上面には、各種操作ボタン類を有する操作パネル４が配設されている。また、プリンタ本体１の上面には、各種表示を行う液晶表示パネル１０が、符号Ｃで示した方向へ回動させて立位姿勢で使用可能に回動軸１１で軸支されて配設されている。プリンタカバー５は、回動軸６がプリンタ本体１の軸受部に係合した状態で回動可能にプリンタ本体１に支持されている。インクジェットプリンタ５０は、使用しないときにプリンタカバー５を閉じた状態とすることによって、プリンタ本体１の上面に配設されている操作パネル４及び液晶表示パネル１０がプリンタカバー５で覆い隠されて保護される。プリンタ本体１には、インクジェットプリンタ５０を落ち運びするためのハンドル２０が符号Ｄで示した方向へ回動可能に配設されている。
【００２５】
プリンタ本体１の前面には、記録実行後の記録紙Ｐが排出される排出口７を開閉可能に排出用トレイ３が配設されている。排出トレイ３は、回動可能にプリンタ本体１に軸支されている。インクジェットプリンタ５０を使用しないときには、排出トレイ３を閉じた状態とすることによって、排出口７が排出トレイ３で覆い隠された状態となる（図１）。また、インクジェットプリンタ５０を使用するときには、符号Ａで示した方向へ排出トレイ３を開いた状態とすることによって、排出口７から排出される記録実行後の記録紙Ｐが排出トレイ３に積重される（図２）。
【００２６】
インクジェットプリンタ５０は、記録紙Ｐに記録を実行する「記録実行手段」として、搬送駆動ローラ５１、搬送従動ローラ５２、プラテン５３、排出駆動ローラ５４、排出従動ローラ５５、キャリッジ６１及び記録ヘッド６２をプリンタ本体１内に備えている。また、インクジェットプリンタ５０は、「記録実行手段」へ向けて記録紙Ｐを一ずつ自動給送する自動給送装置を構成する載置部７１、エッジガイド７２、給送用ローラ７３及びリタードローラ７４を備えている。プリンタ本体１の上面には、記録紙Ｐを前記の自動給送装置で供給するための給送用開口部２が設けられている。符号Ｂで示した方向へ開いた状態のプリンタカバー５は、前記の自動給送装置で給送する記録紙Ｐが載置される給送用トレイとして機能する
載置部７１は、給送用開口部２に臨む位置に配設されている。公知のエッジガイド７２は、記録紙Ｐの幅方向（左右方向Ｘ）へスライド可能に載置部７１に配設されており、記録紙Ｐのサイズに応じて記録紙Ｐの幅方向の載置位置を規定することができる。開いた状態のプリンタカバー５に載置された記録紙Ｐは、図示していないホッパにより給送用ローラ７３の外周面に押圧され、給送用ローラ７３の駆動回転により、搬送駆動ローラ５１へ向けて給送される。このとき、公知のリタードローラ７４の従動回転抵抗によって、最上位の記録紙Ｐから他の記録紙Ｐが分離され、記録紙Ｐの重送が防止される。
【００２７】
給送用ローラ７３の駆動回転により給送された記録紙Ｐは、搬送駆動ローラ５１と搬送従動ローラ５２とで挟持され、搬送駆動ローラ５１の駆動回転により搬送方向ＹＰへ所定の搬送量でプラテン５３上を搬送される。キャリッジ６１の底部には、記録紙Ｐの記録面にインクを噴射してドットを形成する記録ヘッド６２が配設されている。キャリッジ６１は、記録ヘッド６２のヘッド面とプラテン５３上の記録紙Ｐの記録面とが略平行で一定の間隔となる状態を維持しながら搬送方向ＹＰと略直交する方向へ往復動可能に支持されている。
【００２８】
プラテン５３上を搬送される記録紙Ｐは、キャリッジ６１が搬送方向ＹＰと略直交する方向へ往復動しながら記録ヘッド６２のヘッド面から記録紙Ｐの記録面へインクを噴射してドットを形成する動作と、搬送駆動ローラ５１の駆動回転により搬送方向ＹＰへ所定の搬送量で記録紙Ｐを搬送する動作とが交互に繰り返されることによって、記録面への記録が実行される。インク噴射後の記録紙Ｐは、排出駆動ローラ５４と排出従動ローラ５５とで挟持され、排出駆動ローラ５４の駆動回転により搬送方向ＹＰへ搬送される。記録実行後の記録紙Ｐは、排出口７から排出され、開いた状態の排出用トレイ３に積重される。
【００２９】
図３は、インクジェットプリンタ５０のブロック図である。
【００３０】
インクジェットプリンタ５０は、公知のマイコン制御回路からなる記録制御部１００を備えており、この記録制御部１００により制御される。記録制御部１００は、システムバスで接続されたＲＯＭ１０１、ＲＡＭ１０２、ＡＳＩＣ（特定用途向け集積回路）１０３、ＣＰＵ１０４及び不揮発性メモリ１０５を備えている。また、記録制御部１００は、ＰＦモータドライバ１０６、ＣＲモータドライバ１０７及びヘッドドライバ１０８を備えている。
【００３１】
ＲＯＭ１０１には、ＣＰＵ１０４によるインクジェットプリンタ５０の制御に必要な記録制御プログラム（ファームウェア）等が格納されている。ＲＡＭ１０２は、ＣＰＵ１０４の作業領域や記録データ等の格納領域として用いられる。ＣＰＵ１０４は、インクジェットプリンタ５０の記録制御を実行するための演算処理やその他必要な演算処理を行う。記録制御プログラムの処理に必要な各種データ等は不揮発性メモリ１０５に記憶されている。
【００３２】
ＡＳＩＣ１０３は、ＰＦモータ５８の速度制御を行う制御回路及びＣＲモータ６３の速度制御を行う制御回路並びに記録ヘッド６２の駆動制御を行う制御回路（図示せず）を有している。ＰＦモータ５８は、搬送駆動ローラ５１の駆動力源であり、ＰＦモータドライバ１０６により駆動制御される。ＣＲモータ６３は、キャリッジ６１の駆動力源であり、ＣＲモータドライバ１０７により駆動制御される。記録ヘッド６２は、ヘッドドライバ１０８により駆動制御される。
【００３３】
インクジェットプリンタ５０は、主に画像データ等を保存するための外部記憶装置としてハードディスクドライブ９を備えている。ハードディスクドライブ９は、プリンタ本体１に内蔵されており、ＡＳＩＣ１０３が有するドライブ制御回路（図示せず）により制御される。また、インクジェットプリンタ５０は、「無線通信モジュール」の一例として公知のブルートゥース通信モジュール８を備えている。ブルートゥース通信モジュール８は、ＡＳＩＣ１０３と回路的に接続されており、ＡＳＩＣ１０３が有する通信制御回路（図示せず）により制御される。ブルートゥース通信モジュール８は、携帯電話機２００等のブルートゥース通信機能を有する電子機器と無線通信によるデータ送受信機能を実現する。
【００３４】
＜無線通信モジュール支持装置の第１実施例＞
つづいて、本発明に係る「無線通信モジュール支持装置」の第１実施例について、図４〜図１１を参照しながら説明する。
【００３５】
図４は、ハンドル２０の斜視図である。図５は、ハンドル２０の一部を拡大図示した斜視図である。図６は、ブルートゥース通信モジュール８を模式的に図示した斜視図である。
【００３６】
「可動部」としてのハンドル２０（把持部）は、図示の如くＵ字形状をなしており（図４）、その略中央部分には、内部空間２２が形成されている（図５）。この内部空間２２には、ブルートゥース通信モジュール８が内蔵され、蓋２１を嵌合させることで塞がれる。尚、図示していないが、ハンドル２０の内部には、内部空間２２からプリンタ本体１の内部へ通ずる配線経路が設けられており、ブルートゥース通信モジュール８へ信号線及び電源線の接続が可能となっている。
【００３７】
ブルートゥース通信モジュール８は、図示の如く略矩形の平板状の形状をなしている（図６）。ブルートゥース通信モジュール８は、送信電波に対する向きによって受信感度が異なる。より具体的には、図示の如く垂直姿勢においては、前後方向Ｙの受信感度は良好であるが、左右方向Ｘや垂直方向Ｚの受信感度は相対的に低い。
【００３８】
図７は、ハンドル２０の内部構造を図示したものであり、図７（ａ）は側断面図、図７（ｂ）は内部空間２２の部分を拡大図示した平面図である。  
ハンドル２０の内部空間２２には、ブルートゥース通信モジュール８及びブルートゥース通信モジュール８を回動軸に対して重心が偏心した状態で回動自在に支持する無線通信モジュール支持装置８０が内蔵される。無線通信モジュール支持装置８０は、基体８１、回動軸８２、ねじ８３及び錘８４を有している。基体８１は、ブルートゥース通信モジュール８を回動自在に支持する。回動軸８２は、基体８１の両側端に一体に形成されている。
【００３９】
ねじ８３は、ブルートゥース通信モジュール８を基体８１に固定する。錘８４は、ブルートゥース通信モジュール８を取り付けた状態における基体８１の全体の重心を回転軸８２に対して偏心させるためのものである。無線通信モジュール支持装置８０は、ハンドル２０の内部空間２２の内壁面に設けられた軸受孔２３に回動軸８２が軸受けされて、符号Ｅで示した回動方向へ回動自在に支持される。
【００４０】
すなわち、無線通信モジュール支持装置８０は、錘８４を利用した振り子支持構造を有している。それによって、ブルートゥース通信モジュール８は、インクジェットプリンタ５０の姿勢にかかわらず、常に重力方向Ｚに対して一定の姿勢を維持することになる。したがって、無線通信モジュール支持装置８０は、インクジェットプリンタ５０を立てた状態で使用しているとき、寝かせた状態で使用しているとき、或いは傾けた状態で使用しているときのいずれの状態においても、一定の送信電波方向に対して良好な受信感度が得られるブルートゥース通信モジュール８の向きを維持することができる。
【００４１】
図８及び図９は、インクジェットプリンタ５０の側面図である。図８は、垂直方向Ｚとなる回動位置へハンドル２０を回動させた状態を図示したものであり、図９は、ハンドル２０を後方へ回動させた状態を図示したものである。  
図１０は、図８に図示した状態におけるハンドル２０の符号２０ａで示した部分の内部を断面図示したものであり、図１１は、図９に図示した状態におけるハンドル２０の符号２０ｂで示した部分の内部を断面図示したものである。
【００４２】
垂直方向Ｚとなる回動位置へハンドル２０を回動させた状態において（図８）、ブルートゥース通信モジュール８は、錘８４によって、垂直姿勢が維持される。すなわち、ブルートゥース通信モジュール８は、良好な受信感度が得られる部分が前後方向Ｙに面した状態となる（図１０）。また、ハンドル２０を後方側へ回動させると（図９）、ブルートゥース通信モジュール８を支持する基体８１は、錘８４によって、符号Ｅで示した回動方向へ回動する。それによって、ブルートゥース通信モジュール８は、そのまま垂直姿勢が維持される。すなわち、ブルートゥース通信モジュール８は、良好な受信感度が得られる部分が前後方向Ｙに面した状態が維持される（図１１）。尚、ハンドル２０は、前方側へ回動させることも可能である（図示省略）。
【００４３】
このようにして、インクジェットプリンタ５０は、ハンドル２０の可動範囲において、ブルートゥース通信モジュール８の垂直姿勢を常に維持することができる。それによって、インクジェットプリンタ５０は、ハンドル２０の回動位置にかかわらず、すなわち、ハンドル２０の可動範囲においてハンドル２０がどの回動位置にあっても、常に前後方向Ｙに良好な受信感度を得ることができる。
【００４４】
より具体的には、例えば、インクジェットプリンタ５０においては、記録紙Ｐへの記録を実行すること及びハードディスクドライブ９に画像データを保存することは、ハンドル２０の回動位置にかかわらず行うことが可能である。それに対して、ブルートゥース通信モジュール８は、ハンドル２０の回動位置にかかわらず良好な受信感度が得られる部分が前後方向Ｙに面した状態となる。したがって、第１実施例においては、ハンドル２０の回動位置にかかわらず、前後方向Ｙからのデータ送信に対して良好な通信状態で画像データを受信することができ、受信した画像データを記録紙Ｐに記録したりハードディスクドライブ９に保存したりすることができる。
【００４５】
また、インクジェットプリンタ５０のハンドル２０の内部にブルートゥース通信モジュール８を実装することによって、プリンタ本体１を構成する筐体フレーム等の金属部材やプリンタ本体１の内部に実装される記録制御部１００の回路基板等の影響でブルートゥース通信モジュール８による受信特性が低下することを容易に回避することができる。さらに、インクジェットプリンタ５０のハンドル２０の内部にブルートゥース通信モジュール８を実装することによって、通常電子部品等が実装されないハンドル２０の内部空間を有効利用することができる。したがって、インクジェットプリンタ５０におけるブルートゥース通信モジュール８の実装位置や向きの自由度も高まる。
【００４６】
尚、「無線通信モジュール」は、特にブルートゥース通信モジュール８に限定されるものではなく、例えば、いわゆる無線ＬＡＮの通信モジュールを備えた「電子機器」においても本発明の実施は可能である。
【００４７】
＜無線通信モジュール支持装置の第２実施例＞
つづいて、本発明に係る「無線通信モジュール支持装置」の第２実施例について、図１２〜図１６を参照しながら説明する。
【００４８】
図１２は、プリンタカバー５の斜視図である。  
「可動部」としてのプリンタカバー５（開閉蓋）は、図示の如く略中央部分には、内部空間４２が形成されている（図１２）。この内部空間４２には、ブルートゥース通信モジュール８が内蔵され、蓋４１を嵌合させることで塞がれる。尚、無線通信モジュール支持装置８０の構成は、第１実施例と同様であるため、説明は省略する。また、第１実施例におけるハンドル２０と同様に、プリンタカバー５の内部には、内部空間４２からプリンタ本体１の内部へ通ずる配線経路が設けられており、ブルートゥース通信モジュール８へ信号線及び電源線の接続が可能となっている（図示せず）。
【００４９】
図１３及び図１４は、インクジェットプリンタ５０の側面図である。図１３は、プリンタカバー５を閉じた状態を図示したものであり、図１４は、プリンタカバー５を開いた状態を図示したものである。  
図１５は、図１３に図示した状態におけるプリンタカバー５の符号５ａで示した部分の内部を断面図示したものであり、図１６は、図１４に図示した状態におけるプリンタカバー５の符号５ｂで示した部分の内部を断面図示したものである。
【００５０】
プリンタカバー５を閉じた状態において（図１３）、ブルートゥース通信モジュール８は、錘８４によって、垂直姿勢が維持される。すなわち、ブルートゥース通信モジュール８は、良好な受信感度が得られる部分が前後方向Ｙに面した状態となる（図１５）。また、プリンタカバー５を符号Ｂで示した方向へ開くと（図１４）、ブルートゥース通信モジュール８を支持する基体８１は、錘８４によって、符号Ｅで示した回動方向へ回動する。それによって、ブルートゥース通信モジュール８は、そのまま垂直姿勢が維持される。すなわち、ブルートゥース通信モジュール８は、良好な受信感度が得られる部分が前後方向Ｙに面した状態が維持される（図１６）。
【００５１】
このようにして、インクジェットプリンタ５０は、プリンタカバー５の可動範囲において、ブルートゥース通信モジュール８の垂直姿勢を常に維持することができる。それによって、インクジェットプリンタ５０は、プリンタカバー５の回動位置にかかわらず、すなわち、プリンタカバー５の可動範囲においてプリンタカバー５がどの回動位置にあっても、常に前後方向Ｙに良好な受信感度を得ることができる。
【００５２】
より具体的には、例えば、インクジェットプリンタ５０においては、記録紙Ｐへの記録を実行するときは、プリンタカバー５を開いた状態とする必要があるが、ハードディスクドライブ９に画像データを保存することは、プリンタカバー５を閉じた状態でも行うことが可能である。それに対して、ブルートゥース通信モジュール８は、プリンタカバー５を閉じた状態でも開いた状態でも良好な受信感度が得られる部分が前後方向Ｙに面した状態となる。したがって、第２実施例においては、プリンタカバー５を閉じた状態でも開いた状態でも前後方向Ｙからのデータ送信に対して良好な通信状態で画像データを受信することができ、受信した画像データをハードディスクドライブ９に保存することができる。
【００５３】
＜無線通信モジュール支持装置の第３実施例＞
つづいて、本発明に係る「無線通信モジュール支持装置」の第３実施例について、図１７〜図２１を参照しながら説明する。
【００５４】
図１７は、排出用トレイ３の斜視図である。  
「可動部」としての排出用トレイ３は、図示の如く略中央部分には、内部空間３２が形成されている（図１７）。この内部空間３２には、ブルートゥース通信モジュール８が内蔵され、蓋３１を嵌合させることで塞がれる。尚、無線通信モジュール支持装置８０の構成は、第１実施例と同様であるため、説明は省略する。また、第１実施例におけるハンドル２０と同様に、排出用トレイ３の内部には、内部空間３２からプリンタ本体１の内部へ通ずる配線経路が設けられており、ブルートゥース通信モジュール８へ信号線及び電源線の接続が可能となっている（図示せず）。
【００５５】
図１８及び図１９は、インクジェットプリンタ５０の側面図である。図１８は、排出用トレイ３を閉じた状態を図示したものであり、図１９は、排出用トレイ３を開いた状態を図示したものである。  
図２０は、図１８に図示した状態における排出用トレイ３の符号３ａで示した部分の内部を断面図示したものであり、図２１は、図１９に図示した状態における排出用トレイ３の符号３ｂで示した部分の内部を断面図示したものである。
【００５６】
排出用トレイ３を閉じた状態において（図１８）、ブルートゥース通信モジュール８は、錘８４によって、垂直姿勢が維持される。すなわち、ブルートゥース通信モジュール８は、良好な受信感度が得られる部分が前後方向Ｙに面した状態となる（図２０）。また、排出用トレイ３を符号Ａで示した方向へ開くと（図１９）、ブルートゥース通信モジュール８を支持する基体８１は、錘８４によって、符号Ｅで示した回動方向へ回動する。それによって、ブルートゥース通信モジュール８は、そのまま垂直姿勢が維持される。すなわち、ブルートゥース通信モジュール８は、良好な受信感度が得られる部分が前後方向Ｙに面した状態が維持される（図２１）。
【００５７】
このようにして、インクジェットプリンタ５０は、排出用トレイ３の可動範囲において、ブルートゥース通信モジュール８の垂直姿勢を常に維持することができる。それによって、インクジェットプリンタ５０は、排出用トレイ３の回動位置にかかわらず、すなわち、排出用トレイ３の可動範囲において排出用トレイ３がどの回動位置にあっても、常に前後方向Ｙに良好な受信感度を得ることができる。
【００５８】
より具体的には、例えば、インクジェットプリンタ５０においては、記録紙Ｐへの記録を実行するときは、排出用トレイ３を開いた状態とする必要があるが、ハードディスクドライブ９に画像データを保存することは、排出用トレイ３を閉じた状態でも行うことが可能である。それに対して、ブルートゥース通信モジュール８は、排出トレイ３を閉じた状態でも開いた状態でも良好な受信感度が得られる部分が前後方向Ｙに面した状態となる。したがって、第３実施例においては、排出トレイ３を閉じた状態でも開いた状態でも前後方向Ｙからのデータ送信に対して良好な通信状態で画像データを受信することができ、受信した画像データをハードディスクドライブ９に保存することができる。
【００５９】
＜発明の効果＞
本発明に係る無線通信モジュール支持装置８０によれば、ブルートゥース通信モジュール８等の「無線通信モジュール」を実装したインクジェットプリンタ５０等の「電子機器」において、その姿勢にかかわりなく、良好な受信感度が得ることができる。また、本発明に係る無線通信モジュール支持装置８０をハンドル２０、プリンタカバー５又は排出用トレイ３等の「可動部」に内蔵したインクジェットプリンタ５０等の「電子機器」は、その「可動部」の姿勢にかかわりなく、良好な受信感度が得ることができる。
【００６０】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６１】
【図１】インクジェットプリンタの外観斜視図。
【図２】インクジェットプリンタの要部側断面図。
【図３】インクジェットプリンタのブロック図。
【図４】インクジェットプリンタのハンドルの斜視図。
【図５】ハンドルの一部を拡大図示した斜視図。
【図６】ブルートゥース通信モジュールを模式的に図示した斜視図。
【図７】ハンドルの内部構造を図示した側断面図及び拡大平面図。
【図８】垂直方向となる回動位置へ回動させたハンドルを図示したもの。
【図９】ハンドルを後方へ回動させた状態を図示したもの。
【図１０】図８の符号２０ａで示した部分の内部を断面図示したもの。
【図１１】図９の符号２０ｂで示した部分の内部を断面図示したもの。
【図１２】インクジェットプリンタのプリンタカバーの斜視図。
【図１３】プリンタカバーを閉じた状態を図示したもの。
【図１４】プリンタカバーを開いた状態を図示したもの。
【図１５】図１３の符号５ａで示した部分の内部を断面図示したもの。
【図１６】図１４の符号５ｂで示した部分の内部を断面図示したもの。
【図１７】インクジェットプリンタの排出用トレイの斜視図。
【図１８】排出用トレイを閉じた状態を図示したもの。
【図１９】排出用トレイを開いた状態を図示したもの。
【図２０】図１８の符号３ａで示した部分の内部を断面図示したもの。
【図２１】図１９の符号３ｂで示した部分の内部を断面図示したもの。
【符号の説明】
【００６２】
３  排出用トレイ、５  プリンタカバー、８  ブルートゥース通信モジュール、９  ハードディスクドライブ、２０  ハンドル、５０  インクジェットプリンタ、５１  搬送駆動ローラ、５２  搬送従動ローラ、５３  プラテン、５４  排出駆動ローラ、５５  排出従動ローラ、６１  キャリッジ、６２  記録ヘッド、８０  無線通信モジュール支持装置、８１  基体、８２  回動軸、８３  ねじ、８４  錘、１００  記録制御部、Ｐ  記録紙、
【図１】
0004998157.tif 000002
【図２】
0004998157.tif 000003
【図３】
0004998157.tif 000004
【図４】
0004998157.tif 000005
【図５】
0004998157.tif 000006
【図６】
0004998157.tif 000007
【図７】
0004998157.tif 000008
【図８】
0004998157.tif 000009
【図９】
0004998157.tif 000010
【図１０】
0004998157.tif 000011
【図１１】
0004998157.tif 000012
【図１２】
0004998157.tif 000013
【図１３】
0004998157.tif 000014
【図１４】
0004998157.tif 000015
【図１５】
0004998157.tif 000016
【図１６】
0004998157.tif 000017
【図１７】
0004998157.tif 000018
【図１８】
0004998157.tif 000019
【図１９】
0004998157.tif 000020
【図２０】
0004998157.tif 000021
【図２１】
0004998157.tif 000022